(57)【要約】【課題】構成変更が容易なスイッチ装置を実現する。【解決手段】スイッチ装置１が、導電性を有する複数の端子１１を備えるターミナル部１０と、端子１１間を電気的に接続する接点部と、接点部を開閉する開閉機構とを備えるメカニズム部４０と、付与された外力に応じて開閉機構を作動させるアクチュエータ部７０と、を備える。ターミナル部１０とアクチュエータ部７０との少なくともいずれかが、メカニズム部４０に対して着脱可能に装着されている。【選択図】図４
2020061225.tif 000002
【特許請求の範囲】
【請求項１】
導電性を有する複数の端子を備えるターミナル部と、
前記端子間を電気的に接続する接点部と、前記接点部を開閉する開閉機構とを備えるメカニズム部と、
付与された外力に応じて前記開閉機構を作動させるアクチュエータ部と、を備えるスイッチ装置であって、
前記ターミナル部と前記アクチュエータ部との少なくともいずれかが、前記メカニズム部に対して着脱可能に装着されている、ことを特徴とするスイッチ装置。
【請求項２】
前記ターミナル部が前記メカニズム部に着脱可能に装着され、
前記ターミナル部および前記メカニズム部は、それぞれ、略直方体状に形成され、
前記ターミナル部の上面に設けられた第１嵌合部と、前記メカニズム部の下面に設けられた第２嵌合部とが嵌合することによって、前記ターミナル部が前記メカニズム部に装着される、ことを特徴とする請求項１に記載のスイッチ装置。
【請求項３】
前記ターミナル部の上面視において点対称となるように前記第１嵌合部が配置されていると共に、前記メカニズム部の下面視において点対称となるように前記第２嵌合部が配置されており、
前記ターミナル部の前記上面と前記メカニズム部の前記下面が点対称軸に沿った回転によって重なり合う２つの位置関係のいずれにおいても、前記第１嵌合部と前記第２嵌合部とが嵌合可能である、ことを特徴とする請求項２に記載のスイッチ装置。
【請求項４】
前記ターミナル部が複数のターミナル部候補から選択可能である、ことを特徴とする請求項２または請求項３に記載のスイッチ装置。
【請求項５】
複数の前記ターミナル部候補は、少なくとも、
下面から下方に向けて延在する３本の前記端子を有する第１ターミナル部候補と、
下面から下方に向けて延在する２本の前記端子を有する第２ターミナル部候補と、
下面から下方に向けて延在する中間部と前記中間部の下端から側方に向けて延在する末端部とを各々が有する３本の前記端子を有する第３ターミナル部候補と、
下面から下方に向けて延在する中間部と前記中間部の下端から側方に向けて延在する末端部とを各々が有する２本の前記端子を有する第４ターミナル部候補と、を含むことを特徴とする請求項４に記載のスイッチ装置。
【請求項６】
前記アクチュエータ部が前記メカニズム部に着脱可能に装着され、
前記アクチュエータ部は、略平板状の本体部と、前記本体部の少なくとも一端に形成された被支持部とを備え、
前記メカニズム部は、前記被支持部と係合して前記アクチュエータ部を支持する支持部と、前記アクチュエータ部に押下されて前記開閉機構を作動させるボタン体と備える、ことを特徴とする請求項１に記載のスイッチ装置。
【請求項７】
前記メカニズム部は、複数の前記支持部を備え、
複数の前記支持部のいずれによっても、前記アクチュエータ部は前記ボタン体を押下可能に支持される、ことを特徴とする請求項６に記載のスイッチ装置。
【請求項８】
前記アクチュエータ部が複数のアクチュエータ部候補から選択可能である、ことを特徴とする請求項６または請求項７に記載のスイッチ装置。
【請求項９】
複数の前記アクチュエータ部候補は、少なくとも、
略平板状の第１本体部と、前記第１本体部の一端に形成された第１被支持部とを有する第１アクチュエータ部候補と、
前記第１本体部よりも長手方向に長い第２本体部と、前記第２本体部の一端に形成された第２被支持部とを有する第２アクチュエータ部候補と、
長手方向に細長いスリットが短手方向の略中央に形成された略平板状の第３本体部と、前記スリット内に摺動可能に保持されたスライド機構と、前記第３本体部の両端に形成された第３被支持部とを有する第３アクチュエータ部候補と、
長手方向および短手方向の略中央に連通孔が形成された略平板状の第４本体部と、前記連通孔を貫通するように保持されたトグル機構と、前記第４本体部の両端に形成された第４被支持部とを有する第４アクチュエータ部候補と、
略平板状の第５本体部と、前記第５本体部の一端に形成されたローラと、前記第５本体部の他端に形成された第５被支持部とを有する第５アクチュエータ部候補と、を含むことを特徴とする請求項８に記載のスイッチ装置。
【請求項１０】
前記ターミナル部と前記アクチュエータ部との双方が前記メカニズム部に対して着脱可能に装着され、
前記メカニズム部が複数のメカニズム部候補から選択可能である、ことを特徴とする請求項１から請求項９のいずれか１項に記載のスイッチ装置。
【請求項１１】
複数の前記メカニズム部候補は、少なくとも、
前記接点部の接点材料として銀を用いた中電流用の第１メカニズム部候補と、
前記接点部の接点材料として金を用いた微小電流用の第２メカニズム部候補と、を含むことを特徴とする請求項１０に記載のスイッチ装置。
【請求項１２】
複数の前記メカニズム部候補は、少なくとも、
長手方向の略中央にＮＯ端子またはＮＣ端子に接続される導通部を有する第３メカニズム部候補と、
長手方向の略中央にＣＯＭ端子が接続される導通部を有する第４メカニズム部候補と、を含むことを特徴とする請求項１０または請求項１１に記載のスイッチ装置。
【発明の詳細な説明】
【技術分野】
【０００１】
本発明は、アクチュエータによって接点部が開閉されるスイッチ装置に関する。
【背景技術】
【０００２】
種々の電子機器においてスイッチ装置が広く用いられている。スイッチ装置は、外力に応じて端子間の接点を開閉することによって端子間の電気的な接続を制御する。例えば、特許文献１には、被検出物の位置検出に使用されるマイクロスイッチが開示されている。
【０００３】
図１および図２に、スイッチ装置Ｓの例を示す。スイッチ装置Ｓは、装置外部からの力を内部機構に伝達するアクチュエータＡと、外部回路と接続される複数の端子Ｔと、アクチュエータＡから伝達された力によって可動接点を移動させ、端子間を電子的に接続したり切断したりする内部機構（不図示）と、を有している。
【０００４】
アクチュエータＡは様々な形状であり得る。アクチュエータＡは、図１に示すような単純なボタンによって実現されてもよいし、図２に示すような平板とボタンとの組合せによって実現されてもよい。また同様に、内部機構の構成（例えば、接点部を構成する金属材料等）や端子Ｔの形状および位置関係も、適宜に変更され得る。
【先行技術文献】
【特許文献】
【０００５】
【特許文献１】特開平０９−１６１６０９号公報
【発明の概要】
【発明が解決しようとする課題】
【０００６】
特許文献１に開示されるようなスイッチ装置は、一体的に形成されることが一般的である。したがって、スイッチ装置の個々の部分のみを個別に着脱し、交換することは困難である。例えば、完成したスイッチ装置において、レバー型のアクチュエータを取り外してローラ型のアクチュエータを装着することは困難である。また同様に、完成したスイッチ装置において、内部機構の接点部を構成する金属材料を変更することや、端子（ＮＯ端子、ＮＣ端子、ＣＯＭ端子等）の形状および位置関係を変更することも困難である。
【０００７】
以上の事情を考慮して、本発明は、構成変更が容易なスイッチ装置を実現することを目的とする。
【課題を解決するための手段】
【０００８】
上記課題を解決するために、本発明の一態様に係るスイッチ装置は、導電性を有する複数の端子を備えるターミナル部と、前記端子間を電気的に接続する接点部と、前記接点部を開閉する開閉機構とを備えるメカニズム部と、付与された外力に応じて前記開閉機構を作動させるアクチュエータ部と、を備えるスイッチ装置であって、前記ターミナル部と前記アクチュエータ部との少なくともいずれかが、前記メカニズム部に対して着脱可能に装着されている。
【０００９】
好適には、前記ターミナル部が前記メカニズム部に着脱可能に装着され、前記ターミナル部および前記メカニズム部は、それぞれ、略直方体状に形成され、前記ターミナル部の上面に設けられた第１嵌合部と、前記メカニズム部の下面に設けられた第２嵌合部とが嵌合することによって、前記ターミナル部が前記メカニズム部に装着される。
【００１０】
好適には、前記ターミナル部の上面視において点対称となるように前記第１嵌合部が配置されていると共に、前記メカニズム部の下面視において点対称となるように前記第２嵌合部が配置されており、前記ターミナル部の前記上面と前記メカニズム部の前記下面が点対称軸に沿った回転によって重なり合う２つの位置関係のいずれにおいても、前記第１嵌合部と前記第２嵌合部とが嵌合可能である。
【００１１】
好適には、前記ターミナル部が複数のターミナル部候補から選択可能である。
【００１２】
好適には、複数の前記ターミナル部候補は、少なくとも、下面から下方に向けて延在する３本の前記端子を有する第１ターミナル部候補と、下面から下方に向けて延在する２本の前記端子を有する第２ターミナル部候補と、下面から下方に向けて延在する中間部と前記中間部の下端から側方に向けて延在する末端部とを各々が有する３本の前記端子を有する第３ターミナル部候補と、下面から下方に向けて延在する中間部と前記中間部の下端から側方に向けて延在する末端部とを各々が有する２本の前記端子を有する第４ターミナル部候補と、を含む。
【００１３】
好適には、前記アクチュエータ部が前記メカニズム部に着脱可能に装着され、前記アクチュエータ部は、略平板状の本体部と、前記本体部の少なくとも一端に形成された被支持部とを備え、前記メカニズム部は、前記被支持部と係合して前記アクチュエータ部を支持する支持部と、前記アクチュエータ部に押下されて前記開閉機構を作動させるボタン体と備える。
【００１４】
好適には、前記メカニズム部は、複数の前記支持部を備え、複数の前記支持部のいずれによっても、前記アクチュエータ部は前記ボタン体を押下可能に支持される。
【００１５】
好適には、前記アクチュエータ部が複数のアクチュエータ部候補から選択可能である。
【００１６】
好適には、複数の前記アクチュエータ部候補は、少なくとも、略平板状の第１本体部と、前記第１本体部の一端に形成された第１被支持部とを有する第１アクチュエータ部候補と、前記第１本体部よりも長手方向に長い第２本体部と、前記第２本体部の一端に形成された第２被支持部とを有する第２アクチュエータ部候補と、長手方向に細長いスリットが短手方向の略中央に形成された略平板状の第３本体部と、前記スリット内に摺動可能に保持されたスライド機構と、前記第３本体部の両端に形成された第３被支持部とを有する第３アクチュエータ部候補と、長手方向および短手方向の略中央に連通孔が形成された略平板状の第４本体部と、前記連通孔を貫通するように保持されたトグル機構と、前記第４本体部の両端に形成された第４被支持部とを有する第４アクチュエータ部候補と、略平板状の第５本体部と、前記第５本体部の一端に形成されたローラと、前記第５本体部の他端に形成された第５被支持部とを有する第５アクチュエータ部候補と、を含む。
【００１７】
好適には、前記ターミナル部と前記アクチュエータ部との双方が前記メカニズム部に対して着脱可能に装着され、前記メカニズム部が複数のメカニズム部候補から選択可能である。
【００１８】
好適には、複数の前記メカニズム部候補は、少なくとも、前記接点部の接点材料として銀を用いた中電流用の第１メカニズム部候補と、前記接点部の接点材料として金を用いた微小電流用の第２メカニズム部候補と、を含む。
【００１９】
好適には、複数の前記メカニズム部候補は、少なくとも、長手方向の略中央にＮＯ端子またはＮＣ端子に接続される導通部を有する第３メカニズム部候補と、長手方向の略中央にＣＯＭ端子が接続される導通部を有する第４メカニズム部候補と、を含む。
【発明の効果】
【００２０】
本発明によれば、構成変更が容易なスイッチ装置が実現される。
【図面の簡単な説明】
【００２１】
【図１】本発明の背景技術に係るスイッチ装置の斜視図である。
【図２】本発明の背景技術に係るスイッチ装置の斜視図である。
【図３】本発明の実施形態に係るスイッチ装置の斜視図である。
【図４】本発明の実施形態に係るスイッチ装置の分解斜視図である。
【図５】本発明の実施形態に係るスイッチ装置の電気的構成を示す回路図である。
【図６】本発明の実施形態に係るターミナル部の上面を示す上面図である。
【図７】本発明の実施形態に係るメカニズム部の下面を示す下面図である。
【図８】本発明の実施形態に係るターミナル部とメカニズム部との嵌合状態を示す断面図である。
【図９】本発明の実施形態に係る複数のターミナル部候補、複数のメカニズム部候補、および複数のアクチュエータ部候補を示す説明図である。
【図１０】本発明の実施形態に係る第２ターミナル部候補の斜視図である。
【図１１】本発明の実施形態に係る第３ターミナル部候補の斜視図である。
【図１２】本発明の実施形態に係る第４ターミナル部候補の斜視図である。
【図１３】本発明の実施形態に係る第４メカニズム部候補の外観側面図である。
【図１４】本発明の実施形態に係る第４メカニズム部候補の内部側面図である。
【図１５】本発明の実施形態に係る第４メカニズム部候補の斜視図である。
【図１６】本発明の実施形態に係る第２アクチュエータ部候補の斜視図である。
【図１７】本発明の実施形態に係る第３アクチュエータ部候補の斜視図である。
【図１８】本発明の実施形態に係る第４アクチュエータ部候補の斜視図である。
【図１９】本発明の実施形態に係る第５アクチュエータ部候補の斜視図である。
【発明を実施するための形態】
【００２２】
以下、図面を参照しつつ、本発明の実施形態について説明する。各図に適宜付される矢印Ｍｏ、Ｌｏ、およびＬａは、それぞれスイッチ装置１の装着方向（上下方向）、長手方向、および短手方向を示す。
【００２３】
図３は、本発明の一実施形態における例示的なスイッチ装置１の斜視図である。スイッチ装置１は、ターミナル部１０と、メカニズム部４０と、アクチュエータ部７０と、を有する。図４は、スイッチ装置１の分解斜視図である。図５は、スイッチ装置１の電気的構成を示す回路図である。
【００２４】
図３および図４に示すように、ターミナル部１０およびアクチュエータ部７０は、それぞれ、メカニズム部４０に対して着脱可能に装着されている。ターミナル部１０は、導電性を有する複数の端子１１（１１ａ，１１ｂ，１１ｃ）を有している。本例の３本の端子１１は、ターミナル部１０の下面１２から下方に向けて延在している。端子１１は、平板状の端子の他、例えば、圧着端子やＰＣＢ端子であってもよい。
【００２５】
メカニズム部４０は、スイッチ機構を実現する主要な構成要素であって、端子１１間を電気的に接続する接点部４１と、接点部４１を開閉する開閉機構４２と、を有している。接点部４１は、接点材料として銀を用いた中電流用の接点を有する。アクチュエータ部７０は、付与された外力Ｆに応じて開閉機構４２を作動させる。
【００２６】
図５に示すように、端子１１ａは共通端子（ＣＯＭ）として機能し、端子１１ｂは常開端子（ＮＯ）として機能し、端子１１ｃは常閉端子（ＮＣ）として機能する。すなわち、接点部４１はｃ接点である。アクチュエータ部７０からの伝達力ＴＦが閾値未満である場合、開閉機構４２は端子１１ａと端子１１ｃとを導通させる。また、アクチュエータ部７０からの伝達力ＴＦが閾値以上である場合、開閉機構４２は端子１１ａと端子１１ｂとを導通させる。
【００２７】
なお、常開端子と常閉端子とが逆に配置されている構成、すなわち、長手方向Ｌｏの略中央に位置する端子１１ｂが常閉端子（ＮＣ）であり、長手方向Ｌｏの端子１１ａとは反対側の端部に位置する端子１１ｃが常開端子（ＮＯ）であるように結線される構成も採用可能である。
【００２８】
図４に示すように、ターミナル部１０およびメカニズム部４０は、それぞれ、略直方体状に形成されている。ターミナル部１０の上面１３には、凹部１４（第１嵌合部）が設けられる。メカニズム部４０の下面４３には、凸部４４（第２嵌合部）が設けられる。上記した凹部１４と凸部４４とが嵌合することによって、ターミナル部１０がメカニズム部４０に装着される。より具体的には、凸部４４が凹部１４に圧入されている。
【００２９】
図６は、ターミナル部１０の上面１３を示す上面図である。図６に示すように、ターミナル部１０は、複数の円筒部１５と角筒状の壁部１６とを有する。凹部１４は、円筒部１５と壁部１６とで形成される間隙である。なお、上面１３は、円筒部１５の上端および壁部１６の上端によって画定される平面である。ターミナル部１０の凹部１４は、上面視において点対称となるように配置されている。
【００３０】
図７は、メカニズム部４０の下面４３を示す下面図である。図７に示すように、メカニズム部４０は、円柱状に形成された複数の凸部４４を有する。メカニズム部４０の凸部４４は、ターミナル部１０の凹部１４と同様に、下面視において点対称となるように配置されている。
【００３１】
図８は、ターミナル部１０とメカニズム部４０との嵌合状態を示す断面図である。図８の断面はターミナル部１０の上面１３である。図８に示すように、円筒部１５と壁部１６とで規定される凹部１４に凸部４４が装着方向Ｍｏに圧入されることによって、ターミナル部１０とメカニズム部４０とが嵌合する。
【００３２】
前述の通り、ターミナル部１０の凹部１４およびメカニズム部４０の凸部４４は、それぞれ点対称となるように形成されている。したがって、ターミナル部１０とメカニズム部４０とが嵌合している場合、ターミナル部１０またはメカニズム部４０を装着方向Ｍｏと平行な点対称軸に沿って１８０°回転させた位置関係においても、ターミナル部１０とメカニズム部４０とが嵌合可能である。すなわち、ターミナル部１０の上面１３とメカニズム部４０の下面４３が点対称軸に沿った回転によって重なり合う２つの位置関係（０°および１８０°）のいずれにおいても、凹部１４と凸部４４とが嵌合可能である。
【００３３】
以上のようにターミナル部１０とメカニズム部４０とが嵌合することによって、ターミナル部１０が有する端子１１と、メカニズム部４０が有する接点部４１とが電気的に接触する。なお、端子１１と接点部４１とは、例えば、スプリングピン等によって、多少の構造的な遊びがある状態で接触するように構成されると好適である。
【００３４】
図３および図４に示すように、アクチュエータ部７０は、平板状の本体部７１と、本体部７１の一端に形成された被支持部７２と、を有している。そして、メカニズム部４０は、被支持部７２と係合してアクチュエータ部７０を支持する支持部４５と、アクチュエータ部７０に押下されて開閉機構４２を作動させるボタン体４６とを有している。
【００３５】
メカニズム部４０は、複数の支持部４５ａ，４５ｂを有している。アクチュエータ部７０は、複数の支持部４５ａ，４５ｂのいずれによっても、ボタン体４６を押下可能に支持されるように構成されている。すなわち、被支持部７２は、支持部４５ａとも支持部４５ｂとも係合することが可能である。加えて、支持部４５ａによって被支持部７２が支持された場合のアクチュエータ部７０の機械的特性（外力Ｆと伝達力ＴＦとの関係等）と、支持部４５ｂによって支持された被支持部７２が支持された場合のアクチュエータ部７０の機械的特性とが略等しくなるように、各部の寸法等が設定されていると好適である。本実施形態では、ボタン体４６が、メカニズム部４０の長手方向Ｌｏの略中央に設けられているので、両方の支持部４５ａ，４５ｂから距離が略等しいため、上記の機械的特性を略等しくすることに資している。
【００３６】
以上に説明したように、本実施形態のスイッチ装置１のターミナル部１０、メカニズム部４０、およびアクチュエータ部７０は、それぞれ、装着方向Ｍｏに着脱可能に構成されている。そのため、本実施形態においては、図９に例示するように、着脱部分が上記と同様に構成された複数のターミナル部候補ＴＣ（ＴＣ１〜ＴＣ４）、複数のメカニズム部候補ＭＣ（ＭＣ１〜ＭＣ４）、および複数のアクチュエータ部候補ＡＣ（ＡＣ１〜ＡＣ５）から、それぞれ、ターミナル部１０、メカニズム部４０、およびアクチュエータ部７０を選択することが可能である。
【００３７】
なお、上記した「着脱部分」とは、ターミナル部１０の上面１３（凹部１４）およびメカニズム部４０の下面４３（凸部４４）、並びにメカニズム部４０の支持部４５およびアクチュエータ部７０の被支持部７２である。
【００３８】
以下、図９に描かれた候補を中心に、ターミナル部候補ＴＣ、メカニズム部候補ＭＣ、およびアクチュエータ部候補ＡＣの具体例を説明する。なお、図３ないし図８を参照して前述したターミナル部１０、メカニズム部４０、およびアクチュエータ部７０は、第１ターミナル部候補ＴＣ１、第１メカニズム部候補ＭＣ１および第３メカニズム部候補ＭＣ３、並びに第１アクチュエータ部候補ＡＣ１に対応しているので、説明を省略する。
【００３９】
図１０に示す第２ターミナル部候補ＴＣ２は、下面１２から下方に向けて延在する２本の端子１１ａ，１１ｂを有する。図１１に示す第３ターミナル部候補ＴＣ３は、下面１２から下方に向けて延在する中間部Ｍと中間部Ｍの下端から側方に向けて延在する末端部Ｅとを各々が有する３本の端子１１ａ，１１ｂ，１１ｃを有する。図１２に示す第４ターミナル部候補ＴＣ４は、下面１２から下方に向けて延在する中間部Ｍと中間部Ｍの下端から側方に向けて延在する末端部Ｅとを各々が有する２本の端子１１ａ，１１ｂを有する。
【００４０】
各端子１１は、装着されるメカニズム部４０の構成（接続先の接点部４１の構成）に応じて、種々の端子、例えば、ＣＯＭ端子、ＮＯ端子、ＮＣ端子として機能することが可能である。すなわち、端子１１は、固定接点に接続されればＣＯＭ端子として機能し、常開可動接点に接続されればＮＯ端子として機能し、常閉可動接点に接続されればＮＣ端子として機能することが可能である。
【００４１】
なお、２本の端子１１を有するターミナル部候補ＴＣ（ＴＣ２，ＴＣ４）は、いずれかの端子１１が固定接点に接続されるように（すなわち、いずれかの端子１１がＣＯＭ端子となるように）、メカニズム部４０に装着されると好適である。
【００４２】
第２メカニズム部候補ＭＣ２は、微小電流用のメカニズム部４０であって、接点部４１の接点材料として金を用いている。金は、第１メカニズム部候補ＭＣ１において用いられている銀と比較して、酸化被膜が形成され難い等の接点として有利な特性を有している。
【００４３】
図１３ないし図１５に、第４メカニズム部候補ＭＣ４の構成を示す。図１３は、第４メカニズム部候補ＭＣ４の外観側面図である。図１４は、図１３からケーシング４７を除去して内部構造を示した第４メカニズム部候補ＭＣ４の側面図である。図１５は、ケーシング４７を除去して内部構造を示した第４メカニズム部候補ＭＣ４の斜視図である。概略的には、第４メカニズム部候補ＭＣ４は、長手方向Ｌｏの略中央にＣＯＭ端子（端子１１ｂ）が接続される導通部を有している。
【００４４】
図１４および図１５に示すように、第４メカニズム部候補ＭＣ４は、その内部に、第１導通部４１ａと第２導通部４１ｂと第３導通部４１ｃとを有する接点部４１と、第１突出部４２ａと第２突出部４２ｂと第３突出部４２ｃと連結部４２ｄとを有する開閉機構４２と、を有する。接点部４１および開閉機構４２は、それぞれ、金属等の導電性材料によって形成されている。開閉機構４２は、ボタン体４６を介してアクチュエータ部７０に押下され、装着方向Ｍｏの下方に向けて移動する。
【００４５】
第１導通部４１ａ、第２導通部４１ｂ、および第３導通部４１ｃは、それぞれ、端子１１ａ、端子１１ｂ、および端子１１ｃと電気的に接続している。第１突出部４２ａ、第２突出部４２ｂ、および第３突出部４２ｃは、それぞれ、第１導通部４１ａ、第２導通部４１ｂ、および第３導通部４１ｃを先端部分で挟み込む。連結部４２ｄは、第１導通部４１ａ、第２導通部４１ｂ、および第３導通部４１ｃを電気的に連結している。
【００４６】
第２導通部４１ｂには間隙が形成されていない。そのため、開閉機構４２が上下に移動しても、常に、第２突出部４２ｂと第２導通部４１ｂとは接触している。したがって、第２導通部４１ｂはＣＯＭ接点として機能する。
【００４７】
第１導通部４１ａには導電性材料が切り欠かれた間隙４７ａが形成されており、第３導通部４１ｃには導電性材料が存在しない間隙４７ｃが形成されている。間隙４７ａは、間隙４７ｃよりも装着方向Ｍｏの下方に形成されている。したがって、開閉機構４２が初期位置（アクチュエータ部７０に押下されていない状態）にある場合、第１突出部４２ａと第１導通部４１ａとが接触する一方、間隙４７ｃにある第３突出部４２ｃと第３導通部４１ｃとは接触しない。開閉機構４２が押下されると、第１突出部４２ａが間隙４７ａに到達して第１導通部４１ａと接触しなくなる一方、第３突出部４２ｃが第３導通部４１ｃに到達して接触する。したがって、第１導通部４１ａはＮＣ接点として機能する一方、第３導通部４１ｃはＮＯ接点として機能する。
【００４８】
第４メカニズム部候補ＭＣ４を用いたスイッチ装置１においては、長手方向Ｌｏの略中央に位置する端子１１ｂがＣＯＭ端子として機能する一方で、長手方向Ｌｏの両端に位置する端子１１ａおよび端子１１ｃがＮＣ端子およびＮＯ端子として機能する。
【００４９】
図１６に示す第２アクチュエータ部候補ＡＣ２は、第１アクチュエータ部候補ＡＣ１の本体部７１（第１本体部）よりも長手方向Ｌｏに長い本体部７１（第２本体部）と、本体部７１の一端に形成された被支持部７２（第２被支持部）とを有する。第２アクチュエータ部候補ＡＣ２の動作機構は第１アクチュエータ部候補ＡＣ１と同様である。すなわち、外力Ｆによって第２アクチュエータ部候補ＡＣ２が支持部４５を軸として回動することにより、ボタン体４６が押下される。
【００５０】
図１７に示す第３アクチュエータ部候補ＡＣ３は、長手方向Ｌｏに細長いスリット７７が短手方向Ｌａの略中央に形成された略平板状の本体部７１（第３本体部）と、スリット７７内に摺動可能に保持されたスライド機構７３と、本体部７１の両端に形成された被支持部７２ａ，７２ｂ（第３被支持部）とを有する。第３アクチュエータ部候補ＡＣ３の本体部７１は、２対の支持部４５ａ，４５ｂによって固定されている。外力Ｆによってスライド機構７３がスリット７７の長手方向Ｌｏの略中央に移動することにより、ボタン体４６が押下される。
【００５１】
図１８に示す第４アクチュエータ部候補ＡＣ４は、長手方向Ｌｏおよび短手方向Ｌａの略中央に連通孔７４が形成された略平板状の本体部７１（第４本体部）と、連通孔７４を貫通するように保持されたトグル機構７５と、本体部７１の両端に形成された被支持部７２ａ，７２ｂ（第４被支持部）とを有する。第４アクチュエータ部候補ＡＣ４の本体部７１は、２対の支持部４５ａ，４５ｂによって固定されている。外力Ｆによってトグル機構７５が操作されることにより、ボタン体４６が押下される。
【００５２】
図１９に示す第５アクチュエータ部候補ＡＣ５は、略平板状の本体部７１（第５本体部）と、本体部７１の一端に形成されたローラ７６と、本体部７１の他端に形成された被支持部７２（第５被支持部）とを有する。外力Ｆによって第５アクチュエータ部候補ＡＣ５が支持部４５を軸として回動することにより、ボタン体４６が押下される。ローラ７６が設けられていることによって、外力Ｆを付与する物体がよりスムーズに本体部７１に接することが可能である。
【００５３】
本実施形態の構成に対応する技術的効果を以下に説明する。上記した本実施形態の構成では、スイッチ装置１が、導電性を有する複数の端子１１を有するターミナル部１０と、端子１１間を電気的に接続する接点部４１と、接点部４１を開閉する開閉機構４２とを有するメカニズム部４０と、付与された外力Ｆに応じて開閉機構４２を作動させるアクチュエータ部７０とを有する。そして、ターミナル部１０およびアクチュエータ部７０は、メカニズム部４０に対して着脱可能に装着されている。以上の構成によれば、ユーザによって着脱可能な複数の部分によって構成されるスイッチ装置１が実現される。結果として、構成変更が容易なスイッチ装置１が提供される。
【００５４】
また、本実施形態では、ターミナル部１０およびメカニズム部４０が、それぞれ、略直方体状に形成され、ターミナル部１０の上面１３に設けられた凹部１４と、メカニズム部４０の下面４３に設けられた凸部４４とが嵌合することによって、ターミナル部１０がメカニズム部４０に装着される。以上の構成によれば、螺子等の追加的な固定部材なしにターミナル部１０をメカニズム部４０に装着可能である。
【００５５】
また、本実施形態では、ターミナル部１０の上面視において点対称となるように凹部１４が配置されていると共に、メカニズム部４０の下面視において点対称となるように凸部４４が配置されており、ターミナル部１０の上面１３とメカニズム部４０の下面４３が点対称軸に沿った回転によって重なり合う２つの位置関係のいずれにおいても、凹部１４と凸部４４とが嵌合可能である。以上の構成によれば、ターミナル部１０がメカニズム部４０に複数の方向で装着し得る。したがって、例えば、スイッチ装置１が装着される機器の構造に合わせてターミナル部１０の向きを変えることが可能となる。
【００５６】
また、本実施形態では、アクチュエータ部７０が、略平板状の本体部７１と、本体部７１の少なくとも一端に形成された被支持部７２とを有し、メカニズム部４０は、被支持部７２と係合してアクチュエータ部７０を支持する支持部４５と、アクチュエータ部７０に押下されて開閉機構４２を作動させるボタン体４６と有する。以上の構成によれば、アクチュエータ部７０に付与された外力Ｆがボタン体４６を介して適切に開閉機構４２に伝達される。
【００５７】
また、本実施形態では、メカニズム部４０が複数の支持部４５を有し、複数の支持部４５のいずれによっても、アクチュエータ部７０がボタン体４６を押下可能に支持される。以上の構成によれば、複数の支持部４５のいずれを介しても、アクチュエータ部７０をメカニズム部４０に装着可能である。したがって、例えば、スイッチ装置１が装着される機器の構造に合わせてアクチュエータ部７０の向きや位置を変えることが可能となる。
【００５８】
また、本実施形態では、ターミナル部１０、メカニズム部４０、およびアクチュエータ部７０が、それぞれ、複数のターミナル部候補ＴＣ、複数のメカニズム部候補ＭＣ、および複数のアクチュエータ部候補ＡＣから選択可能である。以上の構成によれば、スイッチ装置１が装着される機器の構造や使用目的に適合するように、ターミナル部１０、メカニズム部４０、およびアクチュエータ部７０をユーザが自在に選択できる。したがって、機器の構造や使用目的ごとに新たなスイッチ装置を作成する構成と比較して、装置準備に必要な時間とコストが抑制される。
【００５９】
また、本実施形態では、複数のターミナル部候補ＴＣが、少なくとも、上記した第１ターミナル部候補ＴＣ１ないし第４ターミナル部候補ＴＣ４を含む。以上の構成によれば、スイッチ装置１が装着される機器の構造や使用目的に適したターミナル部１０を選択することが可能となる。
【００６０】
また、本実施形態では、複数のメカニズム部候補ＭＣが、少なくとも、接点部４１の接点材料として銀を用いた中電流用の第１メカニズム部候補ＭＣ１と、接点部４１の接点材料として金を用いた微小電流用の第２メカニズム部候補ＭＣ２と、を含む。以上の構成によれば、スイッチ装置１が装着される機器を流れる電流の大きさに応じてメカニズム部４０を選択することが可能となる。
【００６１】
また、本実施形態では、複数のメカニズム部候補ＭＣが、少なくとも、長手方向Ｌｏの略中央にＮＯ端子またはＮＣ端子に接続される導通部４１ｂを有する第３メカニズム部候補ＭＣ３と、長手方向Ｌｏの略中央にＣＯＭ端子が接続される導通部４１ｂを有する第４メカニズム部候補ＭＣ４と、を含む。以上の構成によれば、スイッチ装置１が装着される機器の基板構成に合わせてメカニズム部４０を選択することが可能となる。
【００６２】
また、本実施形態では、複数のアクチュエータ部候補ＡＣが、少なくとも、上記した第１アクチュエータ部候補ＡＣ１ないし第５アクチュエータ部候補ＡＣ５を含む。以上の構成によれば、スイッチ装置１が装着される機器の構造や使用目的に適したアクチュエータ部７０を選択することが可能となる。
【００６３】
上記した実施形態は多様に変形され得る。以下に実施形態の変形例を示す。実施形態および変形例から任意に選択された２以上の態様は、相互に矛盾しない限り適宜に併合することが可能である。
【００６４】
上記した実施形態では、スイッチ装置１のターミナル部１０、メカニズム部４０、およびアクチュエータ部７０は、それぞれ、着脱可能に構成されている。すなわち、スイッチ装置１は３つの部分に分離可能である。しかしながら、スイッチ装置１が２つの部分に分離可能である構成も採用可能である。すなわち、ターミナル部１０とメカニズム部４０とが一体に構成され、アクチュエータ部７０のみがメカニズム部４０に着脱可能である構成も採用可能である。また、メカニズム部４０とアクチュエータ部７０とが一体に構成され、ターミナル部１０のみがメカニズム部４０に着脱可能である構成も採用可能である。
【００６５】
上記した実施形態では、ターミナル部１０の上面１３の凹部１４が形成され、メカニズム部４０の下面４３に凸部４４が形成されている。しかしながら、逆に、ターミナル部１０の上面１３に凸部が形成され、メカニズム部４０の下面４３に凹部が形成されていてもよい。また、ターミナル部１０とメカニズム部４０との嵌合構造は凹凸構造に限定されず、ターミナル部１０とメカニズム部４０とを嵌合可能な任意の構造が採用可能である。なお、他の部材（螺子等）を使用せずに嵌合する構造が採用されると好適である。
【００６６】
上記した実施形態では、メカニズム部４０が上面視で略長方形状に構成され、メカニズム部４０の長手方向Ｌｏの両端にそれぞれ支持部４５ａ，４５ｂが設けられている。しかしながら、メカニズム部４０が上面視で略正方形状に構成され、メカニズム部４０の上面視した略正方形の４辺のそれぞれに４つの支持部４５が設けられてもよい。さらに、上面視した略正方形の４角のそれぞれにも４つの支持部４５が設けられてもよい。
【００６７】
なお、上記した実施形態の説明は、本発明に係るスイッチ装置１における好適な実施の形態を説明しているため、技術的に好ましい種々の限定を付している場合もあるが、本発明の技術的範囲は、特に本発明を限定する記載がない限り、これらの態様に限定されるものではない。さらに、上記した本発明の実施形態における構成要素は適宜、既存の構成要素等との置き換えが可能であり、かつ、他の既存の構成要素との組合せを含む様々なバリエーションが可能であり、上記した本発明の実施形態の記載をもって、特許請求の範囲に記載された発明の内容を限定するものではない。
【符号の説明】
【００６８】
１    スイッチ装置
１０    ターミナル部
１１    端子
１４    凹部（第１嵌合部）
４０    メカニズム部
４１    接点部
４２    開閉機構
４４    凸部（第２嵌合部）
４５    支持部
４６    ボタン体
７０    アクチュエータ部
７２    被支持部
【図１】
2020061225.tif 000003
【図２】
2020061225.tif 000004
【図３】
2020061225.tif 000005
【図４】
2020061225.tif 000006
【図５】
2020061225.tif 000007
【図６】
2020061225.tif 000008
【図７】
2020061225.tif 000009
【図８】
2020061225.tif 000010
【図９】
2020061225.tif 000011
【図１０】
2020061225.tif 000012
【図１１】
2020061225.tif 000013
【図１２】
2020061225.tif 000014
【図１３】
2020061225.tif 000015
【図１４】
2020061225.tif 000016
【図１５】
2020061225.tif 000017
【図１６】
2020061225.tif 000018
【図１７】
2020061225.tif 000019
【図１８】
2020061225.tif 000020
【図１９】
2020061225.tif 000021